(57)【要約】【課題】  エネルギーの無駄を抑制し、またフリーアクセスフロアを採用した場合にも対応可能な、床放射パネルを用いた空調システムを提供すること。【解決手段】  冷水及び温水の少なくとも一方を熱媒体として流す熱媒体流路５１ｂと熱媒体流路５１ｂを流れる熱媒体から受熱して放射する放射板とを有する放射パネル５１を被空調室の床５０に備え、被空調室の床５０は、被空調室の或る一つの壁面に沿うように、放射パネル５１が敷設された列と敷設されない列５２とが交互に形成されている空調システム。【選択図】  図２
2006214695.tif 000002
【特許請求の範囲】
【請求項１】
被空調室の床に敷設された放射パネルであって、冷水及び温水の少なくとも一方を熱媒体として流す熱媒体流路と該熱媒体流路を流れる熱媒体から受熱して放射する放射板とを有する放射パネルを備え；
前記被空調室の床は、前記被空調室の或る一つの壁面に沿うように、前記放射パネルが敷設された列と敷設されない列とが交互に形成された。
空調システム。
【請求項２】
前記被空調室の床が、フリーアクセスフロアで構成された；
請求項１に記載の空調システム。
【請求項３】
前記被空調室の床は、前記被空調室の窓面に沿うように、前記放射パネルが敷設された列と敷設されない列とが交互に形成され；
前記被空調室の窓面に最も近い放射パネルが敷設された列の前記放射板に対する前記熱媒体流路の占める割合が、前記被空調室の窓面から最も遠い放射パネルが敷設された列の前記放射板に対する前記熱媒体流路の占める割合より大きくなるように構成された；
請求項１又は請求項２に記載の空調システム。
【請求項４】
前記放射板が複数の通気孔を有し；
前記通気孔から吹き出す空気を送気する送風機を備えた；
請求項１乃至請求項３のいずれか１項に記載の空調システム。
【請求項５】
前記被空調室内の空気の湿気を取り除く除湿機を備えた；
請求項１乃至請求項４のいずれか１項に記載の空調システム。
【発明の詳細な説明】
【技術分野】
【０００１】
本発明は空調システムに関し、特にエネルギーの無駄を抑制しフリーアクセスフロアを採用した場合にも対応可能な床放射パネルを用いた空調システムに関するものである。
【背景技術】
【０００２】
省エネルギーと快適性とを両立する空調方式として、放射空調システムが知られている。放射空調システムは、天井面や床面等に設置された放射パネルを冷やし（温め）、放射パネルからの放射熱により被空調室の温度を調整するシステムである。放射空調システムは、在室者が気流を感じることがなく、音が静かであるため快適性に優れている。また、放射空調システムは、放射パネルを冷やす（温める）ために用いる冷水（温水）の温度が、低温（高温）空気を吹き出す空調システムに比べて高く（低く）て済むため、より省エネルギーなシステムと言える。
【０００３】
放射空調システムの一つとして、被空調室の床面に放射パネルを敷設して暖房を行なう空調システムが知られている。従来の放射パネルを用いた空調システムは、建物の床板又は畳の底板の上に断熱材を敷設してから、その上に放射パネルが積み重ねられて設置されていた（例えば特許文献１参照）。また、建物の床板又は畳の底板の上に断熱材を介して放射パネルが敷設されるため、放射パネルが被空調室の床全面に敷設されることが一般的であった。
【特許文献１】特開平６−１８０１２５号公報（段落０００６、図１、図２等）
【発明の開示】
【発明が解決しようとする課題】
【０００４】
しかしながら、被空調室の床全面に放射パネルを敷設すると、少なからずエネルギーに無駄が生じる場合があった。また、近年は、ＯＡ機器の普及に伴い床下に配線等の空間を設けたフリーアクセスフロアが多く採用されているが、フリーアクセスフロアの全面に放射パネルを敷設すると床下の保守及び点検ができなくなるという不都合があった。
【０００５】
本発明は上述の課題に鑑み、エネルギーの無駄を抑制し、またフリーアクセスフロアを採用した場合にも対応可能な、床放射パネルを用いた空調システムを提供することを目的とする。
【課題を解決するための手段】
【０００６】
上記目的を達成するために、請求項１に記載の発明に係る空調システムは、例えば図２及び図３に示すように、被空調室の床５０に敷設された放射パネル５１であって、冷水及び温水の少なくとも一方を熱媒体として流す熱媒体流路５１ｂと熱媒体流路５１ｂを流れる熱媒体から受熱して放射する放射板５１ｃとを有する放射パネル５１を備え；被空調室の床５０は、被空調室の或る一つの壁面に沿うように、放射パネル５１が敷設された列と敷設されない列５２とが交互に形成されている。
【０００７】
このように構成すると、放射パネルが敷設された列と敷設されない列とが交互に形成されているので、被空調室の床面に対して放射パネルが占める面積が少なくなって投入エネルギーを削減することができる。ここで、「冷水」とは、被空調室を冷房する際の熱媒体であり、「温水」とは、被空調室を暖房する際の熱媒体である。なお、「受熱」は、温熱の受熱のみならず冷熱の受熱をもいうものとする。すなわち、放射板が熱媒体によって温められる場合だけでなく冷やされる場合も、放射板が「受熱」すると表現することとする。また、「放射する」というのは、温熱のみならず冷熱についてもこのように表現することとする。すなわち、厳密にいえば、放射パネルから冷熱が放射されるのではなく、例えば人間などから放射された熱が、温度の低い放射パネルに吸収されて反射されないために納涼感が生ずるのであるが、本明細書においては便宜上、冷熱についても「放射する」と表現することとする。
【０００８】
また、請求項２に記載の発明に係る空調システムは、例えば図２に示すように、請求項１に記載の空調システムにおいて、被空調室の床５０が、フリーアクセスフロアで構成されている。
【０００９】
このように構成すると、被空調室の床面に放射パネルを敷設した場合であっても床下の空間に電気配線や配管等を敷設することができ、かつ放射パネルが敷設されない列の床をめくって床下の空間に敷設した電気配線や配管等の保守及び点検をすることができる。
【００１０】
また、請求項３に記載の発明に係る空調システムは、例えば図２に示すように、請求項１又は請求項２に記載の空調システムにおいて、被空調室の床５０は、被空調室の窓面に沿うように、放射パネル５１が敷設された列と敷設されない列５２とが交互に形成され；  被空調室の窓面に最も近い放射パネル５１が敷設された列の放射板に対する熱媒体流路５１ｂの占める割合が、被空調室の窓面から最も遠い放射パネル５１ｂが敷設された列の放射板に対する熱媒体流路５１ｂの占める割合より大きくなるように構成されている。
【００１１】
このように構成すると、被空調室の窓面に最も近い放射パネルが敷設された列の放射板に対する熱媒体流路の占める割合が、被空調室の窓面から最も遠い放射パネルが敷設された列の放射板に対する熱媒体流路の占める割合より大きくなるように構成されているので、被空調室の窓際以外の部分に比べて大きい窓際部分の熱負荷を適切に処理することができる。
【００１２】
また、請求項４に記載の発明に係る空調システムは、例えば図１及び図３に示すように、請求項１乃至請求項３のいずれか１項に記載の空調システムにおいて、放射板５１ｃが複数の通気孔５１ｈを有し；通気孔５１ｈから吹き出す空気を送気する送風機２１を備えている。
【００１３】
このように構成すると、被空調室内の空気を移動させることができ、被空調室内の空気がよどむことを防ぐことができる。
【００１４】
また、請求項５に記載の発明に係る空調システムは、例えば図１に示すように、請求項１乃至請求項４のいずれか１項に記載の空調システムにおいて、被空調室内の空気の湿気を取り除く除湿機４０を備えている。
【００１５】
このように構成すると、被空調室内の空気の湿気を取り除く除湿機を備えているので、被空調室内の快適性がさらに向上されると共に、放射パネルに結露を生じさせることなく潜熱を処理することができる。
【発明の効果】
【００１６】
本発明によれば、放射パネルが敷設された列と敷設されない列とが交互に形成されているので、被空調室の床面に対して放射パネルが占める面積が少なくなってエネルギーの無駄を抑制することができ、フリーアクセスフロアを採用した場合にも対応可能な、床放射パネルを用いた空調システムを提供することができる。
【発明を実施するための最良の形態】
【００１７】
以下、図面を参照して、本発明の実施の形態について説明する。なお、各図において、互いに同一又は相当する装置には同一符号を付し、重複した説明は省略する。
【００１８】
図１は、本発明の実施の形態に係る空調システム１を説明する図である。空調システム１は、送風機２１を有するファンフィルターユニット（以下「ＦＦＵ」という。）２０と、除湿機４０と、被空調室２の床５０に配設された放射パネルである床放射パネル５１と、熱源機６１と、を備えている。
【００１９】
ＦＦＵ２０は、送風機２１と、冷温水コイル２２と、フィルタ２３とを有している。送風機２１は、床下から被空調室２内へ空気を吹き出すことを目的の一つとして設置されている。送風機２１の吹出側には、冷温水コイル２２が設置されている。冷温水コイル２２は、冷水又は温水を導入する熱媒体導入口と、これらを導出する熱媒体導出口とを有している。熱媒体導入口はコイル往配管８３に接続されている。熱媒体導出口は、コイル還配管８４に接続されている。冷温水コイル２２の下流側にはフィルタ２３が設置されている。フィルタ２３は、ＦＦＵ２０から吹き出される空気中の塵埃を除去するものである。フィルタ２３は、典型的にはろ過式のフィルタが用いられ、被空調室２が要求される清浄度に応じて、ラフフィルタ、中性能フィルタ、高性能フィルタ、ＨＥＰＡフィルタ等の中から適宜選択される。また、フィルタ２３は、ろ過式以外の、静電気式や吸着式等のものを用いてもよい。
【００２０】
ＦＦＵ２０は、空気の流れる方向に、送風機２１、冷温水コイル２２、フィルタ２３の順で並べられ、これらをケースで収納して構成されている。ＦＦＵ２０のケースには、空気を導入する吸気口と、空気を導出する送気口とが設けられている。吸気口には吸込ダクト３０が、送気口には床下ダクト３９がそれぞれ接続されている。吸込ダクト３０には、フレキシブルダクト及びチャンバーボックス３５を介して制気口３６が接続されている。床下ダクト３９は、被空調室２の床下に空気を送気するための風導である。
【００２１】
ＦＦＵ２０は、被空調室２の天井裏に設置されている。ただし、設置スペースの事情により、被空調室２の床下に設置してもよく、あるいは被空調室２と離れた別のスペースに設置してもよい。
【００２２】
除湿機４０は、液体の乾燥剤を使用し、被空調室２の空気中の水分を乾燥剤に吸湿させて除去することができるように構成されている。乾燥剤は、典型的には塩化リチウム溶液である。除湿機４０は、除湿部と再生部とヒートポンプ部とを有している。水分を除去したい空気（以下、「被処理空気」という。）中の水分を塩化リチウム溶液に吸収する過程は、除湿部で行なわれる。塩化リチウム溶液に吸収された水分は再生部に移動し、再生部が加熱されて水分が蒸発し、塩化リチウム溶液が再生される。ヒートポンプ部は冷媒を再生部と除湿部の間で循環させて除湿部の冷却と再生部の加熱とを行なうように構成されている。ヒートポンプ部では、圧縮機で昇圧された冷媒が再生部に送られ、再生部から出た冷媒が除湿部に送られる。
【００２３】
なお、除湿機４０として、固体の乾燥剤を用いるものや冷却除湿方式のものを使用してもよい。固体の乾燥剤を用いる除湿機は、シリカゲルや活性炭等を乾燥剤として、これに被処理空気中の水分を吸着させて除湿し、後に乾燥剤を加熱して吸着した水分を蒸発させて乾燥剤を再生させるように構成されている。冷却除湿方式は、冷水コイル等により被処理空気を所定の露点温度まで冷却することで水分を凝縮除去するものである。
【００２４】
被空調室２の床５０は、フリーアクセスフロアで構成されている。フリーアクセスフロア５０には、床放射パネル５１が敷設された部分と、床放射パネルが敷設されていない部分５２とがある。床放射パネル５１は、電磁波である熱線を放射して、被空調室２内の温度を調整することができるように構成されている。床放射パネル５１から放射される熱線は、冷房時は冷熱であり、暖房時は温熱である。冷熱は、被空調室２の設定温度よりも低い温度の熱である。温熱は、被空調室２の設定温度よりも高い温度の熱である。前述のように、厳密にいえば、冷房時は、床放射パネル５１から冷熱が放射されるのではなく、例えば人間などから放射された熱が、温度の低い床放射パネル５１に吸収されることによって反射されないために納涼感が生ずるのであるが、本明細書においては便宜上、冷熱についても放射されると表現することとする。
【００２５】
ここで図２を参照して、被空調室２の床面の構成について説明する。図２は床放射パネルの配置状況を説明する平面図である。被空調室２の床は、窓側の壁面に沿うように、床放射パネル５１が敷設された列と、床放射パネルが敷設されない列５２とが交互に形成されている。被空調室２の床はフリーアクセスフロアで構成されているため取り外し可能で、床下に回らされた電線等の保守をすることができるように構成されている。ただし、床放射パネル５１が敷設された列は、分割されたフリーアクセスフロアの複数にわたって熱媒体流路５１ｂが敷設されているため、実質的に取り外すことが難しい構成になっている。熱媒体流路５１ｂは、窓際（いわゆるぺリメータ部分）の列の密度が高くなるように、床放射パネル５１に敷設されている。ここで、「熱媒体流路の密度」は、放射板の総面積に対する、熱媒体流路が放射板に接している面積である。
【００２６】
さらに図３を参照して、床放射パネル５１の構成について説明する。図３（ａ）は熱媒体流路５１ｂが敷設される長手方向の、端部以外に配置される床放射パネルのベースを示す平面図であり、図３（ｂ）は、端部に配置される床放射パネルのベースを示す平面図である。また、図３（ｃ）は、図３（ａ）におけるＣ−Ｃ断面図であり、図３（ｄ）はＤ−Ｄ断面図である。なお、説明の便宜上、図３（ａ）、（ｂ）では放射板５１ｃとタイルカーペット５４を省略している。床放射パネル５１は、熱媒体流路５１ｂを嵌め込む溝５１ｄが形成されたベース５１ａと、冷房か暖房かにより熱媒体としての冷水又は温水のうちの一方を流す熱媒体流路５１ｂと、ベース５１ａに設置された熱媒体流路５１ｂを保護すると共に冷熱又は温熱を放射する放射板５１ｃとを備えている。溝５１ｄの底部は半円形の断面を有しており、その直径は熱媒体流路５１ｂの断面の直径よりも大きくなっている。なお、溝５１ｄの底部は半円形断面以外の三角形、四角形、その他の多角形の断面を有する形状であってもよいが、熱媒体流路５１ｂを溝５１ｄに敷設されたときの安定性、及び溝５１ｄの加工容易性の観点から半円形断面とするのが好ましい。
【００２７】
また、ベース５１ａには、溝５１ｄの底部から床下に抜けるように、被空調室２に空気を吹き出す通気孔５１ｈが複数形成されている。通気孔５１ｈは、溝５１ｄの半円形断面の直径とほぼ等しい幅を有している。したがって、空気は、ベース５１ａの底部から熱媒体流路５１ｂの両脇を包み込むように流れて熱媒体と熱交換をし、被空調室２に吹き出される。ベース５１ａに形成された通気孔５１ｈの大きさと数は、典型的には床下から被空調室２内へ吹き出す空気の風量と風速によって決定される。風量は、典型的には、床放射パネル５１からの放射熱量とのバランスを考慮して決定される。風速は、典型的には０．０５〜０．３５ｍ／ｓであるが、被空調室２に在室する者がドラフトを感じないという観点から上限を好ましくは０．３ｍ／ｓ、より好ましくは０．２５ｍ／ｓとし、被空調室２への対流による効果を実行あらしめる観点から下限を好ましくは０．１ｍ／ｓ、より好ましくは０．１５ｍ／ｓとするとよい。
【００２８】
図３（ｂ）に示すように、熱媒体流路５１ｂが敷設される長手方向の、端部に配置されるベース５１ａには、二つの溝５１ｄをつなぐ曲部と、熱媒体流路５１ｂを床下に導くスリーブ５１ｓとが形成されている。熱媒体流路５１ｂが嵌め込まれたベース５１ａの上には、放射板５１ｃが重ねられる。放射板５１ｃには、ベース５１ａの溝５１ｄに形成された通気孔５１ｈと対応するように、放射板通気孔が形成されている。放射板５１ｃの上にはさらに通気性を有するタイルカーペット５４が載置されて、被空調室２の床面が形成されている。
【００２９】
床放射パネルが敷設されていない列のフリーアクセスフロア５２にも、ベース５１ａに形成された通気孔５１ｈと同様の通気孔が形成されており、微風を被空調室２に吹き出すことができるように構成されている。床放射パネルが敷設されていない列のフリーアクセスフロア５２の上にも、タイルカーペットが載置されている。
【００３０】
また、図４に示すように床パネルを変形して構成してもよい。図４は本発明の実施の形態に係る床放射パネルの変形例の構成を説明する図であり、（ａ）は端部以外に配置される床放射パネルのベースを示す平面図、（ｂ）は端部に配置される床放射パネルのベースを示す平面図、（ｃ）は（ａ）におけるＣ−Ｃ断面図、（ｄ）は（ａ）におけるＤ−Ｄ断面図である。なお、説明の便宜上、図４（ａ）、（ｂ）では放射板５１ｃとタイルカーペット５４を省略している。本変形例に係る床放射パネル５１’では溝５１ｄの幅が熱媒体流路５１ｂの直径とほぼ同じになっており、溝５１ｄの底部に空気が流通する空気用流路５１ｒが熱媒体流路５１ｂの長さ方向に沿って形成されている。溝５１ｄには、長さ方向の所定間隔ごとに、熱媒体流路５１ｂの直径よりも大きい幅を持つ空気放出口５１ｍが形成されている。
【００３１】
本変形例に係る床放射パネル５１’では、空気がベース５１ａの底部から入り込んで空気用流路５１ｒに至り、空気放出口５１ｍに向かって流れる。空気用流路５１ｒを流れる空気は熱媒体流路５１ｂを流れる熱媒体との間で熱交換が行なわれる。空気放出口５１ｍに到達した空気は、熱媒体流路５１ｂの両脇を包み込むように流れ、放射板５１ｃに形成された通気孔、及びタイルカーペット５４を介して被空調室２に吹き出される。本変形例に係る床放射パネル５１’は、床放射パネル５１（図３参照）に比べて、空気と熱媒体流路５１ｂとの熱交換が促進されると共に、溝５１ｄの幅が熱媒体流路５１ｂの直径とほぼ同じなので熱媒体流路５１ｂとベース５１ａとの接触面積が増加して熱伝導性が向上している。したがって、冷房（暖房）効率が向上する。
【００３２】
再び図１に戻って、空調システム１の構成について説明する。被空調室２の床下には、床サプライヘッダー５８と、床レタンヘッダー５９とが配設されている。床サプライヘッダー５８は、被空調室２の床放射パネル５１が敷設されている列の数の分岐を有している。床サプライヘッダー５８の分岐には、各列の床放射パネル５１の熱媒体流路５１ｂ（図２参照）の一端が接続されている。また、床サプライヘッダー５８には、床往配管８５が接続されている。床レタンヘッダー５９は、被空調室２の床放射パネル５１が敷設されている列の数の分岐を有している。床レタンヘッダー５９の分岐には、各列の熱媒体流路５１ｂの床サプライヘッダー５８に接続されていない端部が接続されている。また、床レタンヘッダー５９には、床還配管８６が接続されている。熱媒体流路５１ｂと床サプライヘッダー５８、床レタンヘッダー５９とは、可とう管で接続されていてもよい。
【００３３】
空調システム１は、さらに、熱媒体流路５１ｂに送水する冷水又は温水の温度を調整する熱源機６１を備えている。熱源機６１としては、ヒートポンプチラーや冷温水発生機等が用いられる。熱源機６１は、典型的には機械室等の被空調室２とは別の空間に設置される。熱源機６１は、床放射パネル５１やＦＦＵ２０を通って、冷房時に温度が上昇した冷水を導入して温度が低下した冷水を導出し、暖房時に温度が低下した温水を導入して温度が上昇した温水を導出することができるように構成されている。熱源機６１で温度が調整された冷水（温水）は、熱媒体導出口６１ａから導出され、床放射パネル５１から還ってきた冷水（温水）は、熱媒体導入口６１ｂから導入される。
【００３４】
熱媒体導出口６１ａには共通往配管８８が接続されており、共通往配管８８にはコイル往配管８３が接続されている。他方、熱媒体導入口６１ｂには共通還配管８９が接続されており、共通還配管８９には、熱源機６１へ向かう方向に、コイル還配管８４、床往配管８５、床還配管８６がここに示す順番で接続されている。共通往配管８８には熱媒体を圧送するポンプ６２が配設されている。床往配管８５と床還配管８６との間には、天床バイパス弁９７が配設されている。
【００３５】
ポンプ６２の下流側の共通往配管８８と、床還配管８６の下流側の共通還配管８９とは、逆流往バルブ９１が配設された配管９２で接続されている。配管９２と共通往配管８８及び共通還配管８９との接続部に対し、それぞれ下流側の共通往配管８８と共通還配管８９とは、逆流還バルブ９３が配設された配管９４で接続されている。配管９２と配管９４との間の共通往配管８８には、往配管仕切弁９５が配設されている。配管９２と配管９４との間の共通還配管８９には、還配管仕切弁９６が配設されている。共通往配管８８とコイル往配管８３との接続部と、共通還配管８９とコイル還配管８４との接続部とは、コイルバイパス弁９８が配設されたコイルバイパス管９９で接続されている。逆流往バルブ９１、逆流還バルブ９３、往配管仕切弁９５、還配管仕切弁９６、コイルバイパス弁９８の各々は、制御装置６０との間に信号ケーブルが敷設されており、制御装置６０からの信号を受信して、弁の開閉動作をすることができるように構成されている。
【００３６】
制御装置６０は、被空調室２内に設置されたセンサー（不図示）や中央監視盤の入力装置（不図示）等から送られてきた信号を受信して、熱源機６１及びポンプ６２、送風機２１、除湿機４０、並びにバルブ９１、９３、９５〜９８に信号を送信し、各機器の発停やダンパ及びバルブの開閉をすることができるように構成されている。
【００３７】
引き続き図１を参照して、本発明の実施の形態に係る空調システム１の作用を説明する。なお、構成の符号に関しては適宜図２及び図３を参照するものとする。
（冷房時）
まず、冷房時の作用について説明する。被空調室２の冷房を開始するに際し、ポンプ６２が起動され、共通配管８８、８９や床配管８５、８６等の内部を流れる冷水の循環が開始される。ポンプ６２が起動すると熱源機６１が起動する。熱源機６１は電気やガス等のエネルギー源を導入して仕事をし、熱源機６１から導出される冷水の温度を１２℃程度にする。約１２℃の冷水は共通往配管８８を流れてコイル往配管８３に至る。なお、このときの逆流往バルブ９１及び逆流還バルブ９３、天床バイパス弁９７、コイルバイパス弁９８は閉になっており、往配管仕切弁９５及び還配管仕切弁９６は開となっている。
【００３８】
コイル往配管８３に到達した冷水は、コイル往配管８３内を流れてＦＦＵ２０の冷温水コイル２２に導入される。冷温水コイル２２に導入される冷水の温度は１２℃程度である。冷温水コイル２２に導入された冷水は、ダクト３０、３９に接続されたＦＦＵ２０内を流れる空気と熱交換し、１７℃程度に温度が上昇する。ＦＦＵ２０内を流れる空気と熱交換をした冷水は、冷温水コイル２２から導出されてコイル還配管８４内を流れる。
【００３９】
その後冷水は、床往配管８５に流入し、床サプライヘッダー５８に導入される。床サプライヘッダー５８に導入された冷水の温度は、１７℃程度である。床サプライヘッダー５８に導入された冷水は、床放射パネル５１が敷設されたそれぞれの列ごとに、床放射パネル５１の熱媒体流路５１ｂ（図３参照）に導入される。熱媒体流路５１ｂ（図３参照）内を流れた冷水は、床レタンヘッダー５９に至る。熱媒体流路５１ｂを流れる冷水は放射板５１ｃ（図３参照）と熱交換し、放射板５１ｃは冷やされ、冷水の温度は上昇する。放射板５１ｃと熱交換し、床レタンヘッダー５９に導入された冷水の温度は１９℃程度になっている。なお、放射板５１ｃの上にはタイルカーペット５４（図３（ａ）参照）が載置されているため、放射板５１ｃが被空調室２の空気に直接触れることがなく結露しない。
【００４０】
冷水から冷熱を受熱して放射板５１ｃ（図３参照）の温度が低下した床放射パネル５１は、被空調室２に向けて冷熱を放射する。床放射パネル５１からの冷熱の放射は、被空調室２の床全面から行なわれるわけではないが、床放射パネル５１が敷設された列と敷設されない列５２とが交互に形成されており、放射板５１ｃからフリーアクセスフロア５２への熱伝達も生じるため、床放射パネルが敷設されていない列の上方の冷熱放射を補うことができる。また、ぺリメータ部分における床放射パネル５１の熱媒体流路５１ｂの密度がこれ以外の部分に比べて高いので、ぺリメータ部分の放射冷熱量が比較的多く、インテリア部分に比べて大きいぺリメータ部分の熱負荷を適切に処理することができる。また、放射による冷房と並行して、除湿機４０により被空調室２内の潜熱処理が行なわれる。
【００４１】
また、被空調室２の床下へは、床下ダクト３９により冷風が導入される。被空調室２の床下は、床下チャンバとなっている。床下チャンバに導入された冷風は、ベース５１ａの通気孔５１ｈ（図３参照）から放射板５１ｃの通気孔を介して微風として被空調室２に吹き出される。また、放射パネルが敷設されていない列のフリーアクセスフロア５２の通気孔からも、冷風が微風として被空調室２に吹き出される。なお、放射板５１ｃの上にはタイルカーペット５４（図３参照）が載置されているが、冷風はタイルカーペット５４から染み出るように被空調室２に吹き出される。被空調室２に供給された冷風とバランスするように、制気口３６から被空調室２内の空気が吸い込まれる。吸い込まれた空気はＦＦＵ２０に導かれて温度調整及び除塵がなされ、再び床下チャンバに導入される。なお、図示はしないが、被空調室２には、建築基準法や地方条例等で定められた基準を満たす流量の外気が導入される。
【００４２】
熱媒体流路５１ｂ（図３参照）から床レタンヘッダー５９に流入した冷水は、共通還配管８９に流入し、熱媒体導入口６１ｂから熱源機６１に導入される。熱源機６１に導入された冷水は、温度が１２℃程度に調整された後、再び熱媒体導出口６１ａから共通往配管８８へ導出されて、被空調室２内を冷房するために利用される。
【００４３】
なお、本実施の形態に係る空調システム１は、冷水の導入順序についてＦＦＵ２０を先としたが、床放射パネル５１を先とし、ＦＦＵ２０の冷温水コイル２２を後とすることができる。冷温水コイル２２よりも先に床放射パネル５１に冷水を導入し、床放射パネル５１から導出された冷水を冷温水コイル２２に導入することにより、床放射パネル５１からの放射冷熱を増加させることができると共に、床放射パネル５１を通過後の冷熱を空気との熱交換に二次利用することができる。この場合は以下に示すような運転をする。
【００４４】
まず、配管９２の逆流往バルブ９１及び配管９４の逆流還バルブ９３が開となり、往配管仕切弁９５及び還配管仕切弁９６が閉となる。バルブが切り替わるとポンプ６２が起動し、熱媒体導出口６１ａから導出された冷水が共通往配管８８を流れる。共通往配管８８を流れる冷水は、配管９２を通って共通還配管８９に流入し、床還配管８６に流入する。床還配管８６を流れる冷水は、床レタンヘッダー５９から床放射パネル５１の熱媒体流路５１ｂ（図３参照）、床サプライヘッダー５８、床往配管８５を経て共通還配管８９に流入する。冷水が熱媒体流路５１ｂ（図３参照）を流れる際に放射板５１ｃ（図３参照）に冷熱を授熱し、放射板５１ｃから被空調室２に向けて冷熱が放射される。
【００４５】
床放射パネル５１を経て共通還配管８９に流入した冷水は、その後コイル還配管８４に流入し、ＦＦＵ２０の冷温水コイル２２、コイル往配管８３を経て共通往配管８８に至る。冷温水コイル２２を流れる冷水は、ＦＦＵ２０内を通過する空気と熱交換を行なう。冷温水コイル２２を流れる冷水は、床放射パネル５１を通過して熱媒体導出口６１ａの冷水よりも温度が高くなっているが、被空調室２に吹き出す空気の予冷をすることができ、冷水の二次利用を行なうことができる。冷温水コイル２２を経て共通往配管８８を流れる冷水は、配管９４を通って共通還配管８９に流入する。共通還配管８９を流れる冷水は、熱媒体流入口６１ｂから熱源機６１に流入し、熱源機６１で温度が調整される。熱源機６１で温度が低下させられた冷水は、熱媒体導出口６１ａから導出されて共通往配管８８を流れ、再び床放射パネル５１及びＦＦＵ２０に供給される。
【００４６】
冷水の導入順序がいずれであっても、冷水をＦＦＵ２０に供給したくない場合は、コイルバイパス弁９８を開き、コイルバイパス管９９に冷水を流してＦＦＵ２０をバイパスすることができる。また、冷水を床放射パネル５１に一時的に供給したくない場合は、天床バイパス弁９７を開いてバイパスすることができる。また、天井面にも放射パネル１０を設け、床放射パネル５１と併せて天井からも放射冷房を行なってもよい。このとき、天井放射パネル１０へ冷水を導く天井往配管８１を床往配管８５の接続部に近い共通還配管８９に接続し、天井放射パネル１０からの冷水を導入する天井還配管８２を床還配管８６の接続部に近い共通還配管８９に接続するとよい。
【００４７】
（暖房時）
次に、暖房時の作用について説明する。暖房時は配管９２の逆流往バルブ９１及び配管９４の逆流還バルブ９３が開となり、往配管仕切弁９５及び還配管仕切弁９６が閉となる。天床バイパス弁９７及びコイルバイパス弁９８は閉である。バルブが切り替わるとポンプ６２が起動し、熱媒体導出口６１ａから導出された温水が共通往配管８８を流れる。共通往配管８８を流れる温水は、配管９２を通って共通還配管８９に流入し、床還配管８６に流入する。床還配管８６を流れる温水は、床レタンヘッダー５９に導入される。床レタンヘッダー５９に導入された温水の温度は３６℃程度である。床レタンヘッダー５９に導入された温水は、床放射パネル５１が敷設されたそれぞれの列ごとに、床放射パネル５１の熱媒体流路５１ｂ（図３参照）に導入される。熱媒体流路５１ｂ（図３参照）内を流れた温水は、床サプライヘッダー５８に至る。熱媒体流路５１ｂを流れる温水は放射板５１ｃ（図３参照）と熱交換し、放射板５１ｃは加熱され、温水の温度は低下する。放射板５１ｃと熱交換し、床サプライヘッダー５８に導入された温水の温度は３４℃程度になっている。
【００４８】
温水から温熱を受熱して放射板５１ｃ（図３参照）の温度が上昇した床放射パネル５１は、被空調室２に向けて温熱を放射する。床放射パネル５１からの温熱の放射は、被空調室２の床全面から行なわれるわけではないが、床放射パネル５１が敷設された列と敷設されない列５２とが交互に形成されており、放射板５１ｃからフリーアクセスフロア５２への熱伝達も生じるため、床放射パネルが敷設されていない列の上方の温熱放射を補うことができる。また、ぺリメータ部分における床放射パネル５１の熱媒体流路５１ｂの密度がこれ以外の部分に比べて高いので、ぺリメータ部分の放射温熱量が比較的多く、インテリア部分に比べて大きいぺリメータ部分の熱負荷を適切に処理することができる。
【００４９】
ここで、床面から微少量の温風が被空調室２に吹き出されるようにしてもよい。この場合、被空調室２の床下へは、床下ダクト３９により温風が導入される。被空調室２の床下は、床下チャンバとなっている。床下チャンバに導入された温風は、ベース５１ａの通気孔５１ｈ（図３参照）から放射板５１ｃの通気孔を介し、及び床放射パネルが敷設されていない列のフリーアクセスフロア５２に形成された通気孔から、微風として被空調室２に吹き出される。放射板５１ｃの上にはタイルカーペット５４（図３参照）が載置されているが、温風はタイルカーペット５４から染み出るように被空調室２に吹き出される。なお、図示はしないが、被空調室２には、建築基準法や地方条例等で定められた基準を満たす流量の外気が導入される。
【００５０】
熱媒体流路５１ｂ（図３参照）から床サプライヘッダー５８に流入した温水は、一旦共通還配管８９に流入する。床サプライヘッダー５８から共通還配管８９に流入した温水は、コイル還配管８４に流入する。コイル還配管８４に流入した温水は、コイル還配管８４内を流れてＦＦＵ２０の冷温水コイル２２に導入される。冷温水コイル２２に導入される温水の温度は３４℃程度である。冷温水コイル２２を流れる温水は、床放射パネル５１を通過して熱媒体導出口６１ａの温水よりも温度が低くなっているが、被空調室２に吹き出す空気の予熱をすることができ、温水の二次利用を行なうことができる。冷温水コイル２２に導入された温水は、ダクト３０、３９に接続されたＦＦＵ２０内を流れる空気と熱交換し、３０℃程度に温度が低下する。ＦＦＵ２０内を流れる空気と熱交換をした温水は、冷温水コイル２２から導出されてコイル往配管８３内を流れる。
【００５１】
コイル往配管８３内を流れる温水は、共通往配管８８を経て配管９４を流れ、還配管仕切弁９６の下流側の共通還配管８９に流入する。共通還配管８９に流入した温水は、熱媒体導入口６１ｂから熱源機６１に導入される。熱源機６１に導入された３０℃程度の温度の温水は、３６℃程度の温度に調整された後、再び熱媒体導出口６１ａから共通往配管８８へ導出されて、被空調室２内を暖房するために利用される。
【００５２】
なお、本実施の形態に係る空調システム１は、温水の導入順序を、ＦＦＵ２０の冷温水コイル２２を先とし、床放射パネル５１を後とすることができる。この場合は、配管９２の逆流往バルブ９１及び配管９４の逆流還バルブ９３が閉となり、往配管仕切弁９５及び還配管仕切弁９６が開となる。ポンプ６２が起動し、熱源機６１の熱媒体導出口６１ａから導出された温水は、共通往配管８８を流れる。共通往配管８８を流れる温水は、その後コイル往配管８３に流入し、ＦＦＵ２０の冷温水コイル２２、コイル還配管８４を経て共通還配管８９に至る。冷温水コイル２２を流れる温水は、ＦＦＵ２０内を通過する空気と熱交換を行なう。
【００５３】
コイル還配管８４を経て共通還配管８９に至った温水は、床往配管８５、床サプライへッダー５８を経て床放射パネル５１の熱媒体流路５１ｂ（図３参照）に流入する。温水が熱媒体流路５１ｂを流れる際に放射板５１ｃ（図３参照）に温熱を授熱し、放射板５１ｃから被空調室２に向けて温熱が放射される。このとき、床下ダクト３９を用いて床下に温風を導き、通気孔５１ｈ（図３参照）から微少量の温風を吹き出してもよい。熱媒体流路５１ｂから導出された温水は、床レタンヘッダー５９、床還配管８６を経て共通還配管８９に流入する。
【００５４】
床放射パネル５１を経て共通還配管８９に流入した温水は、熱媒体流入口６１ｂから熱源機６１に流入し、熱源機６１で温度が調整される。熱源機６１で温度が上昇させられた温水は、熱媒体導出口６１ａから導出されて共通往配管８８を流れ、再びＦＦＵ２０及び床放射パネル５１に供給される。
【００５５】
温水の導入順序がいずれであっても、温水をＦＦＵ２０に供給したくない場合は、コイルバイパス弁９８を開き、コイルバイパス管９９に温水を流してＦＦＵ２０をバイパスすることができる。また、温水を床放射パネル５１に供給したくない場合は、天床バイパス弁９７を開いてバイパスすることができる。また、暖房時も冷房時と同様に、天井面に放射パネル１０を設け、床放射パネル５１と併せて天井からも放射暖房を行なってもよい。
【００５６】
以上の説明では、冷房時に熱源機６１から導出される冷水の温度が１２℃程度であるとした（段落００３７）。しかしながら、ポンプ６２の下流側かつ配管９２との接続部の上流側の共通往配管８８に空調機等を設け、冷房時に熱源機６１から導出される冷水の温度を７℃程度としてもよい。このようにすると、冷水を床放射パネル５１等に導く前に空調機に導入させて、冷熱を利用することができる。ただし、熱源機６１から導出される冷水の温度を高く設定した方が熱源機６１の成績係数を向上させることができる。
【図面の簡単な説明】
【００５７】
【図１】本発明の実施の形態に係る空調システムを説明する図である。
【図２】床放射パネルの配置状況を説明する平面図である。
【図３】床放射パネルの構成を説明する図である。（ａ）は列の端部以外の床放射パネルのベースを示す平面図、（ｂ）は列の端部の床放射パネルのベースを示す平面図、（ｃ）は（ａ）におけるＣ−Ｃ断面図、（ｄ）は（ａ）におけるＤ−Ｄ断面図である。
【図４】床放射パネルの変形例の構成を説明する図である。（ａ）は列の端部以外の床放射パネルのベースを示す平面図、（ｂ）は列の端部の床放射パネルのベースを示す平面図、（ｃ）は（ａ）におけるＣ−Ｃ断面図、（ｄ）は（ａ）におけるＤ−Ｄ断面図である。
【符号の説明】
【００５８】
２１  送風機
４０  除湿機
５０  床
５１  放射パネル
５１ｂ  熱媒体流路
５１ｃ  放射板
５１ｈ  通気孔
５２  放射パネルが敷設されない列
【図１】
2006214695.tif 000003
【図２】
2006214695.tif 000004
【図３】
2006214695.tif 000005
【図４】
2006214695.tif 000006